(57)【要約】【課題】  指針を指針軸に取り付けるときの圧入荷重によるばね部の塑性変形を防ぎ、指針軸を一定の荷重で安定して押えることができる指針時計を提供する。【解決手段】  輪列受２０に組み付けられる板ばね部材６１に３つの指針軸の端面をそれぞれ軸方向に押える第１〜第３ばね部６１ａ〜６１ｃを設け、輪列受２０に各ばね部６１ａ〜６１ｃの先端部が上下方向に変位可能に挿入する溝部７７ａ〜７９ａを有してその上方に突出する第１〜第３ばね受け部７７〜７９を設けた。従って、輪列受２０に組み付けた各指針軸の先端に指針を圧入により取り付けるときに、各ばね受け部７７〜７９で指針の圧入荷重を受け止めることができる。このため、指針の圧入荷重が各指針軸を介して各ばね部６１ａ〜６１ｃに加わっても、その圧入荷重によって各ばね部６１ａ〜６１ｃが塑性変形せず、各指針軸を一定の荷重で安定して押えることができる。【選択図】        図１８
2007121078.tif 000002
【特許請求の範囲】
【請求項１】
指針が取り付けられる指針軸と、この指針軸を回転自在に支持する輪列受部材と、この輪列受部材に組み付けられて前記指針軸の端面を押えるための板ばね部材とを備えた指針時計において、
前記板ばね部材には、前記指針軸の端面を軸方向に弾力的に押えるばね部が設けられ、前記輪列受部材には、前記ばね部の先端部が上下方向に変位可能に挿入する溝部を有して前記ばね部の上方に突出するばね受け部が設けられていることを特徴とする指針時計。
【請求項２】
前記ばね受け部の溝部は、前記ばね部の先端部を前記指針軸の端面に対応させて面方向に位置規制していることを特徴とする請求項１に記載の指針時計。
【請求項３】
前記板ばね部材には、前記ばね部の根元部を除いて、前記ばね部の周囲を切り抜く切抜き部が形成され、これにより前記ばね部が前記板ばね部材内に舌状に形成されていることを特徴とする請求項１または２に記載の指針時計。
【請求項４】
前記ばね受け部は、前記ばね部の先端部に位置する前記板ばね部材の前記切抜き部内に挿入して、その外周面で前記ばね部の先端部付近に位置する前記板ばね部材を位置規制することを特徴とする請求項１〜３のいずれかに記載の指針時計。
【請求項５】
前記板ばね部材には、これを挟んで前記輪列受部材に対面して配置される回路基板に弾接し、これにより前記板ばね部材を前記輪列受部材に対し弾力的に押える押えばね部が設けられていることを特徴とする請求項１〜４のいずれかに記載の指針時計。
【請求項６】
複数の指針軸をそれぞれ運針する複数組の輪列と、この複数組の輪列が組み込まれる輪列受部材と、この輪列受部材に組み付けられて前記複数の指針軸の各端面を押えるための板ばね部材とを備えた指針時計において、
前記板ばね部材には、前記複数の指針軸の各端面をそれぞれ軸方向に弾力的に押える複数のばね部が設けられ、前記輪列受部材には、前記複数のばね部の各先端部がそれぞれ上下方向に変位可能に挿入する溝部を有して前記複数のばね部の上方にそれぞれ突出する複数のばね受け部が設けられていることを特徴とする指針時計。
【請求項７】
前記複数の輪列は、秒針、分針、時針の３針を同一軸上に配置して第１、第２パルスモータで運針する３針用輪列と、分針、時針の２針を同一軸上に配置して第３パルスモータで運針する２針用輪列と、秒針のみを第４パルスモータで運針する秒針専用輪列と、日車を第５パルスモータで回転させる日車用輪列とであることを特徴とする請求項６に記載の指針時計。
【請求項８】
前記板ばね部材に設けられた前記複数のばね部は、前記３針用輪列の秒針軸の端面を弾力的に押える第１ばね部と、前記２針用輪列の分針軸の端面を弾力的に押える第２ばね部と、前記秒針専用用輪列の秒針軸の端面を弾力的に押える第３ばね部とであり、
前記輪列受部材に設けられた前記複数のばね受け部は、前記第１ばね部の先端部に対応する第１ばね受け部と、前記第２ばね部の先端部に対応する第２ばね受け部と、前記第３ばね部の先端部に対応する第３ばね受け部とであることを特徴とする請求項７に記載の指針時計。
【請求項９】
前記複数のばね受け部にそれぞれ設けられた前記溝部は、前記複数のばね部の各先端部を前記複数の指針軸の端面に対応させて面方向に位置規制していることを特徴とする請求項６〜８のいずれかに記載の指針時計。
【請求項１０】
前記板ばね部材には、前記第１〜第３ばね部のうち、少なくとも前記第１、第３ばね部の各根元部を除いて、前記第１、第３ばね部の周囲をそれぞれ切り抜く第１、第２切抜き部が形成され、これにより前記第１、第３ばね部がそれぞれ前記板ばね部材内に舌状に形成されていることを特徴とする請求項８または９に記載の指針時計。
【請求項１１】
前記第１〜第３ばね部に対応する前記第１〜第３ばね受け部のうち、前記第１ばね受け部は、前記第１ばね部の先端部に位置する前記第１切抜き部内に挿入して、その外周面で前記第１ばね部の先端部付近に位置する前記板ばね部材を位置規制し、前記第３ばね受け部は、前記第３ばね部の先端部に位置する前記第２切抜き部内に挿入して、その外周面で前記第３ばね部の先端部付近に位置する前記板ばね部材を位置規制することを特徴とする請求項１０に記載の指針時計。
【請求項１２】
前記板ばね部材には、前記第１〜第３ばね部のうち、少なくとも前記第２ばね部が前記板ばね部材の外周面から側方へ突出して細長く延出された舌状に形成されていることを特徴とする請求項１０に記載の指針時計。
【請求項１３】
複数の指針をそれぞれ運針する複数組の輪列が輪列受部材に平面的に配列されていると共に、前記輪列受部材に前記請求項６に記載した発明の前記板ばね部材および前記ばね受け部が設けられたクロノグラフ機能を有する輪列ブロックと、この輪列ブロックを駆動するために当該輪列ブロックに重ねて配置されている回路基板と、前記輪列ブロックと前記回路基板とを重ねた厚みの範囲内において、前記輪列ブロックと前記回路基板との側方部に配置した標準時刻電波受信用のアンテナと、前記輪列ブロックと前記回路基板とを重ねた厚みの範囲内において、前記アンテナが配置されている側方部と異なる他の側方部に配置した電池とを備えていることを特徴とする標準時刻電波受信型多針時計。
【発明の詳細な説明】
【技術分野】
【０００１】
この発明は、時針、分針、秒針などの指針を運針させて時刻を指示する指針時計、および標準時刻電波を受信するアンテナを備えた標準時刻電波受信型多針時計に関する。
【背景技術】
【０００２】
従来、指針時計においては、秒針が取り付けられる秒針軸を有する秒針車である四番車、分針が取り付けられる分針軸を有する分針車である二番車、時針が取り付けられる時針軸を有する時針車である筒車を備え、これら四番車、二番車、筒車などの指針車の回転を安定させるために、最も回転数の多い四番車のバックラッシを抑えて、各指針軸に取り付けられた秒針、分針、時針の各指針の運針動作を一定に保つ必要がある。
【０００３】
このような指針時計には、特許文献１に記載されているように、四番車、二番車、筒車の各指針車が組み付けられる輪列受部材に板ばね部材を取り付け、この板ばね部材に舌状のばね部を設け、この舌状のばね部の先端部で指針軸である秒針軸の端面を軸方向に弾力的に押えて秒針軸に荷重を加えることにより、秒針車である四番車の回転動作を安定させ、これにより分針車である二番車、時針車である筒車の回転動作を安定させるように構成したものがある。
【特許文献１】特開平８−２６２１５３号
【発明の開示】
【発明が解決しようとする課題】
【０００４】
しかしながら、このような従来の指針時計では、四番車、二番車、筒車などの指針車を輪列受部材に組み付けた状態で、四番車の秒針軸の先端に秒針を圧入によって取り付けるときに、秒針の圧入荷重が秒針軸を介して板ばね部材のばね部に加わり、その圧入荷重によってばね部が塑性変形し、ばね部の本来の機能が損なわれるという問題がある。すなわち、秒針軸の先端に秒針を取り付けるときには、輪列受部材を組付治具の上に配置する必要があるため、板ばね部材およびそのばね部が輪列受部材と組付治具との間に密着して挟まれ、この状態で秒針軸の先端に秒針を圧入するので、その圧入荷重が秒針軸によってばね部にそのまま加わり、これによりばね部が塑性変形する。
【０００５】
この発明が解決しようとする課題は、指針を指針軸に取り付けるときの圧入荷重によるばね部の塑性変形を防ぎ、指針軸を一定の荷重で安定して押えることができる指針時計および標準時刻電波受信型多針時計を提供することである。
【課題を解決するための手段】
【０００６】
この発明は、上記課題を解決するために、次のような構成要素を備えている。
なお、各構成要素には、後述する実施形態の項で説明される各要素に付されている図面の参照番号などを括弧と共に付す。
【０００７】
請求項１に記載の発明は、図１〜図２６に示すように、指針（秒針１５ａ、１７ａ、分針１６ａ）が取り付けられる指針軸（秒針軸３１ａ、５１ａ、分針軸４６ａ）と、この指針軸を回転自在に支持する輪列受部材（輪列受２０）と、この輪列受部材に組み付けられて前記指針軸の端面を押えるための板ばね部材（６１）とを備えた指針時計において、
前記板ばね部材には、前記指針軸の端面を軸方向に弾力的に押えるばね部（第１〜第３ばね部６１ａ〜６１ｃ）が設けられ、前記輪列受部材には、前記ばね部の先端部が上下方向に変位可能に挿入する溝部（７７ａ〜７９ａ）を有して前記ばね部の上方に突出するばね受け部（第１〜第３ばね受け部７７〜７９）が設けられていることを特徴とする指針時計である。
【０００８】
請求項２に記載の発明は、図１８〜図２１に示すように、前記ばね受け部（第１〜第３ばね受け部７７〜７９）の溝部（７７ａ〜７９ａ）が、前記ばね部（第１〜第３ばね部６１ａ〜６１ｃ）の先端部を前記指針軸（秒針軸３１ａ、５１ａ、分針軸４６ａ）の端面に対応させて面方向に位置規制していることを特徴とする請求項１に記載の指針時計である。
【０００９】
請求項３に記載の発明は、図１８〜図２１に示すように、前記板ばね部材（６１）に、前記ばね部（第１、第３ばね部６１ａ、６１ｃ）の根元部を除いて、前記ばね部の周囲を切り抜く切抜き部（第１、第２切抜き部７５、７６）が形成され、これにより前記ばね部が前記板ばね部材内に舌状に形成されていることを特徴とする請求項１または２に記載の指針時計である。
【００１０】
請求項４に記載の発明は、図１８〜図２１に示すように、前記ばね受け部（第１、第３ばね受け部７７、７９）が、前記ばね部（第１、第３ばね部６１ａ、６１ｃ）の先端部に位置する前記板ばね部材（６１）の前記切抜き部（第１、第２切抜き部７５、７６）内に挿入して、その外周面で前記ばね部の先端部付近に位置する前記板ばね部材を位置規制することを特徴とする請求項１〜３のいずれかに記載の指針時計である。
【００１１】
請求項５に記載の発明は、図１８〜図２１に示すように、前記板ばね部材（６１）に、これを挟んで前記輪列受部材（輪列受２０）に対面して配置される回路基板（７）に弾接し、これにより前記板ばね部材を前記輪列受部材に対し弾力的に押える押えばね部（６１ｄ、６１ｅ）が設けられていることを特徴とする請求項１〜４のいずれかに記載の指針時計である。
【００１２】
請求項６に記載の発明は、図１〜図２６に示すように、複数の指針軸（秒針軸３１ａ、５１ａ、分針軸４６ａ）をそれぞれ運針する複数組の輪列（３針用輪列１５、２針用輪列１６、秒針専用輪列１７）と、この複数組の輪列が組み込まれる輪列受部材（輪列受２０）と、この輪列受部材に組み付けられて前記複数の指針軸の各端面を押えるための板ばね部材（６１）とを備えた指針時計において、
前記板ばね部材には、前記複数の指針軸の各端面をそれぞれ軸方向に弾力的に押える複数のばね部（第１〜第３ばね部６１ａ〜６１ｃ）が設けられ、前記輪列受部材には、前記複数のばね部の各先端部がそれぞれ上下方向に変位可能に挿入する溝部（７７ａ〜７９ａ）を有して前記複数のばね部の上方にそれぞれ突出する複数のばね受け部（第１〜第３ばね受け部７７〜７９）が設けられていることを特徴とする指針時計である。
【００１３】
請求項７に記載の発明は、図１〜図２６に示すように、前記複数の輪列が、秒針（１５ａ）、分針（１５ｂ）、時針（１５ｃ）の３針を同一軸上に配置して第１、第２パルスモータ（２１，２２）で運針する３針用輪列（１５）と、分針（１６ａ）、時針（１６ｂ）の２針を同一軸上に配置して第３パルスモータ（２３）で運針する２針用輪列（１６）と、秒針（１７ａ）のみを第４パルスモータ（２４）で運針する秒針専用輪列（１７）と、日車（２６）を第５パルスモータ（２５）で回転させる日車用輪列（１８）とであることを特徴とする請求項６に記載の指針時計である。
【００１４】
請求項８に記載の発明は、図１８〜図２１に示すように、前記板ばね部材（６１）に設けられた前記複数のばね部が、前記３針用輪列（１５）の秒針軸（１５ａ）の端面を弾力的に押える第１ばね部（６１ａ）と、前記２針用輪列（１６）の分針軸（１６ａ）の端面を弾力的に押える第２ばね部（６１ｂ）と、前記秒針専用用輪列（１７）の秒針軸（１７ａ）の端面を弾力的に押える第３ばね部（６１ｃ）とであり、
前記輪列受部材（輪列受２０）に設けられた複数のばね受け部が、前記第１ばね部（６１ａ）の先端部に対応する第１ばね受け部（７７）と、前記第２ばね部（６１ｂ）の先端部に対応する第２ばね受け部（７８）と、前記第３ばね部（６１ｃ）の先端部に対応する第３ばね受け部（７９）とであることを特徴とする請求項７に記載の指針時計である。
【００１５】
請求項９に記載の発明は、図１８〜図２１に示すように、前記複数のばね受け部（第１〜第３ばね受け部７７〜７９）にそれぞれ設けられた前記溝部（７７ａ〜７９ａ）が、前記複数のばね部（第１〜第３ばね部６１ａ〜６１ｃ）の各先端部を前記複数の指針軸（秒針軸３１ａ、５１ａ、分針軸４６ａの端面に対応させて面方向に位置規制していることを特徴とする請求項６〜８のいずれかに記載の指針時計である。
【００１６】
請求項１０に記載の発明は、図１８〜図２１に示すように、前記板ばね部材（６１）には、前記第１〜第３ばね部（６１ａ〜６１ｃ）のうち、少なくとも前記第１、第３ばね部（６１ａ、６１ｃ）の各根元部を除いて、前記第１、第３ばね部の周囲をそれぞれ切り抜く第１、第２切抜き部（７５、７６）が形成され、これにより前記第１、第３ばね部がそれぞれ前記板ばね部材内に舌状に形成されていることを特徴とする請求項８または９に記載の指針時計である。
【００１７】
請求項１１に記載の発明は、図１８〜図２１に示すように  前記第１〜第３ばね部（６１ａ〜６１ｃ）に対応する前記第１〜第３ばね受け部（７７〜７９）のうち、前記第１ばね受け部（７７）が、前記第１ばね部（６１ａ）の先端部に位置する前記第１切抜き部（７５）内に挿入して、その外周面で前記第１ばね部の先端部付近に位置する前記板ばね部材（６１）を位置規制し、前記第３ばね受け部（７９）が、前記第３ばね部（６１ｃ）の先端部に位置する前記第２切抜き部（７６）内に挿入して、その外周面で前記第３ばね部の先端部付近に位置する前記板ばね部材を位置規制することを特徴とする請求項１０に記載の指針時計である。
【００１８】
請求項１２に記載の発明は、図１８に示すように、前記板ばね部材（６１）に、前記第１〜第３ばね部（６１ａ〜６１ｃ）のうち、少なくとも前記第２ばね部（６１ｂ）が前記板ばね部材の外周面から側方へ突出して細長く延出された舌状に形成されていることを特徴とする請求項１０に記載の指針時計である。
【００１９】
請求項１３に記載の発明は、図１〜図２６に示すように、複数の指針（秒針１５ａ、１７ａ、分針１６ａ）をそれぞれ運針する複数組の輪列（３針用輪列１５、２針用輪列１６、秒針専用輪列１７、日車用輪列１８）が輪列受部材（輪列受２０）に平面的に配列されていると共に、前記輪列受部材に前記請求項６に記載した発明の前記板ばね部材（６１）と前記複数のばね受け部（第１〜第３ばね受け部７７〜７９）が設けられたクロノグラフ機能を有する輪列ブロック（６）と、この輪列ブロックを駆動するために当該輪列ブロックに重ねて配置されている回路基板（７）と、前記輪列ブロックと前記回路基板とを重ねた厚みの範囲内において、前記輪列ブロックと前記回路基板との側方部に配置した標準時刻電波受信用のアンテナ（８）と、前記輪列ブロックと前記回路基板とを重ねた厚みの範囲内において、前記アンテナが配置されている側方部と異なる他の側方部に配置した電池（９）とを備えていることを特徴とする標準時刻電波受信型多針時計である。
【発明の効果】
【００２０】
請求項１に記載の発明によれば、指針軸を回転自在に支持する輪列受部材に組み付けられる板ばね部材に、指針軸の端面を軸方向に弾力的に押えるばね部を設け、且つ輪列受部材に、ばね部の先端部が上下方向に変位可能に挿入する溝部を有してばね部の上方に突出するばね受け部を設けているので、指針軸を輪列受部材に組み付け、この輪列受部材を組付治具に配置した状態で、指針軸の先端に指針を圧入によって取り付けるときに、板ばね部材およびそのばね部が輪列受部材と組付治具との間に挟まれていても、板ばね部材のばね部の上方に突出したばね受け部が組付治具に当接して指針の圧入荷重を受け止めることができると共に、ばね部の先端部がばね受け部の溝部内で上下方向に変位するので、指針の圧入荷重が指針軸を介してばね部に加わっても、その圧入荷重によってばね部が弾性変形しても塑性変形することがなく、これによりばね部が本来の機能を損なわずに、指針軸を一定の荷重で安定して押えることができる。
【００２１】
請求項２に記載の発明によれば、ばね受け部の溝部がばね部の先端部を指針軸の端面に対応させて面方向に位置規制していることにより、輪列受部材に板ばね部材を組み付けるときに、輪列受部材に設けられたばね受け部の溝部にばね部の先端部を挿入するだけで、簡単に且つ正確にばね部の先端部を指針軸の端面に対応させて位置決めすることができ、これにより板ばね部材の組付作業性を向上させることができる。
【００２２】
請求項３に記載の発明によれば、板ばね部材に、ばね部の根元部を除いて、そのばね部の周囲を切り抜く切抜き部が形成され、これによりばね部が板ばね部材内に舌状に形成されていることにより、ばね部が板ばね部材の外周から側方へ突出することがなく、板ばね部材内にばね部を設けることができると共に、ばね部の周囲を板ばね部材で囲うことができるので、板ばね部材によってばね部を保護することができ、これにより板ばね部材の取り扱いが容易で、板ばね部材を輪列受部材に良好に組み付けることができる。
【００２３】
請求項４に記載の発明によれば、ばね受け部が、ばね部の先端部に位置する板ばね部材の切抜き部内に挿入して、その外周面でばね部の先端部付近に位置する板ばね部材を位置規制することにより、輪列受部材に板ばね部材を組み付けるときに、輪列受部材に設けられたばね受け部を板ばね部材の切抜き部内に挿入するだけで、ばね部の先端部を指針軸の端面に対応させた状態で、ばね受け部の外周面によってばね部の先端部付近に位置する板ばね部材を輪列受部材に対し簡単に且つ正確に位置決めすることができ、これによっても板ばね部材の組付作業性を向上させることができる。
【００２４】
請求項５に記載の発明によれば、板ばね部材に、これを挟んで輪列受部材に対面して配置される回路基板に弾接し、これにより板ばね部材を輪列受部材に対し弾力的に押える押えばね部が設けられていることにより、回路基板を輪列受部材に対面させて配置するときに、板ばね部材の押えばね部が回路基板に弾接するので、この押えばね部の反力によって板ばね部材を輪列受部材に押え付けることができ、これによりビスを用いずに、板ばね部材を輪列受部材に簡単に組み付けることができる。すなわち、板ばね部材は、ばね受け部によってばね部の先端部およびその付近の板ばね部材が面方向に位置規制されているので、板ばね部材に設けられた押えばね部によって板ばね部材を上下方向に押えるだけで、簡単に且つ確実に板ばね部材を輪列受部材に組み付けることができる。
【００２５】
請求項６に記載の発明によれば、複数の指針軸をそれぞれ運針する複数組の輪列が組み込まれる輪列受部材に、板ばね部材を組み付け、この板ばね部材に、複数の指針軸の各端面をそれぞれ軸方向に弾力的に押える複数のばね部を設け、輪列受部材に、複数のばね部の各先端部がそれぞれ上下方向に変位可能に挿入する溝部を有して複数のばね部の上方にそれぞれ突出する複数のばね受け部を設けていることにより、輪列受部材に複数の指針軸がそれぞれ異なる位置に配置されていても、１つの板ばね部材に設けられた複数のばね部によって複数の指針軸の各端部を一定の荷重で安定して押えることができる。
【００２６】
すなわち、この場合においても、請求項１に記載の発明と同様、複数の指針軸の各先端にそれぞれ指針を圧入によって取り付けるときに、指針の圧入荷重による複数のばね部の塑性変形を防ぐことができ、これにより複数の指針軸を一定の荷重で安定して押えることができるほか、特に複数組の輪列を備え、且つ複数の指針軸がそれぞれ異なる位置に配置されていても、１つの板ばね部材を輪列受部材に組み付けるだけで、一度に複数の指針軸を複数のばね部で押えることができ、これにより組付作業性を大幅に向上させることができる。
【００２７】
請求項７に記載の発明によれば、複数の輪列が、秒針、分針、時針の３針を同一軸上に配置して第１、第２パルスモータで運針する３針用輪列と、分針、時針の２針を同一軸上に配置して第３パルスモータで運針する２針用輪列と、秒針のみを第４パルスモータで運針する秒針専用輪列と、日車を第５パルスモータで回転させる日車用輪列とであることにより、３針用輪列、２針用輪列、秒針専用輪列、および日車用輪列をそれぞれ独立して駆動することができ、これにより各輪列のいずれかを時刻系とクロノグラフ系とに簡単に変更することができると共に、時刻系とクロノグラフ系とを自由に変更して組み合わせることができ、これにより時刻系とクロノグラフ系との組み合わせのバリエーションが豊富になるほか、より多くの多機能表示ができる。
【００２８】
請求項８に記載の発明によれば、板ばね部材に設けられた複数のばね部が、３針用輪列の秒針軸の端面を弾力的に押える第１ばね部と、２針用輪列の分針軸の端面を弾力的に押える第２ばね部と、秒針専用用輪列の秒針軸の端面を弾力的に押える第３ばね部とであり、また輪列受部材に設けられた複数のばね受け部が、第１ばね部の先端部に対応する第１ばね受け部と、第２ばね部の先端部に対応する第２ばね受け部と、第３ばね部の先端部に対応する第３ばね受け部とであることにより、３針用輪列、２針用輪列、および秒針専用輪列ごとにそれぞれ指針軸を備えていても、請求項６に記載の発明と同様、３種類の指針の圧入荷重による第１〜第３ばね部の塑性変形を防ぎ、３種類の指針軸をそれぞれ一定の荷重で安定して押えることができるほか、１つの板ばね部材を輪列受部材に組み付けるだけで、一度に３種類の指針軸を第１〜第３ばね部で押えることができ、これによっても組付作業性を大幅に向上させることができる。
【００２９】
請求項９に記載の発明によれば、複数のばね受け部にそれぞれ設けられた溝部が、複数のばね部の各先端部を複数の指針軸の端面に対応させて面方向に位置規制していることにより、請求項２に記載の発明と同様、輪列受部材に板ばね部材を組み付けるときに、輪列受部材に設けられた複数のばね受け部の各溝部に複数のばね部の各先端部を挿入するだけで、簡単に且つ正確に複数のばね部の各先端部を複数の指針軸の各端面に対応させて位置決めすることができ、これにより板ばね部材の組付作業性を更に向上させることができる。
【００３０】
請求項１０に記載の発明によれば、板ばね部材に、第１〜第３ばね部のうち、少なくとも第１、第３ばね部の各根元部を除いて、第１、第３ばね部の周囲をそれぞれ切り抜く第１、第２切抜き部が形成され、これにより第１、第３ばね部が板ばね部材内に舌状に形成されていることにより、請求項３に記載の発明と同様、第１、第３ばね部が板ばね部材の外周から側方へ突出することがなく、板ばね部材内に第１、第３ばね部を設けることができると共に、第１、第３ばね部の周囲を板ばね部材で囲うことができるので、板ばね部材によって第１、第３ばね部を保護することができ、これにより板ばね部材に第１〜第３ばね部が設けられていても、板ばね部材の取り扱いが容易で、板ばね部材を輪列受部材に良好に組み付けることができる。
【００３１】
請求項１１に記載の発明によれば、第１〜第３ばね部に対応する第１〜第３ばね受け部のうち、第１ばね受け部が、第１ばね部の先端部に位置する第１切抜き部内に挿入して、その外周面で第１ばね部の先端部付近に位置する板ばね部材を位置規制し、第３ばね受け部が、第３ばね部の先端部に位置する第２切抜き部内に挿入して、その外周面で第３ばね部の先端部付近に位置する板ばね部材を位置規制することにより、請求項４に記載の発明と同様、輪列受部材に板ばね部材を組み付けるときに、輪列受部材に設けられた第１、第３ばね受け部を板ばね部材の第１、第２切抜き部内に挿入するだけで、第１、第３ばね部の先端部をそれぞれ指針軸の端面に対応させた状態で、第１、第３ばね受け部の外周面によって第１、第３ばね部の先端部付近に位置する板ばね部材を輪列受部材に対して簡単に且つ正確に位置決めすることができ、これによっても板ばね部材の組付作業性を向上させることができる。
【００３２】
請求項１２に記載の発明によれば、板ばね部材に、第１〜第３ばね部のうち、少なくとも第２ばね部が板ばね部材の外周面から側方へ突出して細長く延出された舌状に形成されていることにより、板ばね部材に第１〜第３ばね部を一体に形成しても、板ばね部材を最小限の大きさでコンパクトに形成することができ、これにより板ばね部材を輪列受部材に組み付ける際、３針用輪列、２針用輪列、秒針専用輪列、日車用輪列の各輪列を妨げることがなく、コンパクトに組み付けることができる。
【００３３】
請求項１３に記載の発明によれば、輪列ブロックが、複数の指針をそれぞれ運針する複数組の輪列が輪列受部材に平面的に配列されていると共に、輪列受部材に請求項６に記載した発明の板ばね部材およびばね受け部が設けられたクロノグラフ機能を有する構成であることにより、請求項６に記載の発明と同様、指針の圧入荷重による複数のばね部の塑性変形を防ぐことができ、これにより複数の指針軸を一定の荷重で安定して押えることができると共に、１つの板ばね部材を輪列受部材に組み付けるだけで、一度に複数の指針軸を複数のばね部で押えることができ、これにより組付作業性の向上を図ることができるほか、複数組の輪列を輪列受部材に平面的に配列しているので、輪列ブロックの厚みを薄くすることができると共に、複数組の輪列を平面的に組み付けるので、組立作業性が良い。
【００３４】
この場合、特に複数組の輪列を平面的に配列した輪列ブロックに回路基板を重ねて配置するので、回路基板を複数に分割する必要がなく、１つの回路基板を輪列ブロックに簡単に重ねて組み付けることができ、これによっても組立作業性を向上させることができる。さらに、輪列ブロックと回路基板とを重ねた厚みの範囲内において、アンテナおよび電池を輪列ブロックと回路基板との側方部にそれぞれ配置したので、アンテナおよび電池の厚みが厚くても、アンテナおよび電池をコンパクトに組み込むことができ、これらによって時計全体の薄型化を図ることができる。
【発明を実施するための最良の形態】
【００３５】
以下、図１〜図２４を参照して、この発明を腕時計に適用した一実施形態について説明する。
この腕時計は、図１〜図３に示すように、腕時計ケース１を備えている。この腕時計ケース１の上部外周にはベゼル１ａが設けられていると共に、その上部内周には時計ガラス２がパッキン２ａを介して設けられている。また、この腕時計ケース１の内部には、時計モジュール３が収納されており、腕時計ケース１の下面には、裏蓋４が防水リング４ａを介して取り付けられている。さらに、この腕時計ケース１の３時側と９時側との各側面には、それぞれ第１〜第４押釦スイッチ５ａ〜５ｄが設けられている。
【００３６】
時計モジュール３は、図２に示すように、輪列ブロック６、回路基板７、アンテナ８、および電池９を備え、これらがモジュール押え板１０によって腕時計ケース１内に組み込まれると共に、輪列ブロック６の上面にソーラーパネル１１および文字板１２がその順で積層され、この状態で押えリング１３によってソーラーパネル１１および文字板１２が輪列ブロック６に取り付けられた構成になっている。
【００３７】
この場合、輪列ブロック６は、後述する複数組の輪列を平面的に配列したクロノグラフ機能を有するものである。回路基板７は、輪列ブロック６を駆動制御するためのものであり、輪列ブロック６の下側に重ねて配置されている。アンテナ８は、標準時刻電波を受信して時刻を修正するためのものであり、輪列ブロック６と回路基板７とを重ねた厚みの範囲内において、時計モジュール３の１２時側に配置されている。電池９は、電源であり、輪列ブロック６と回路基板７とを重ねた厚みの範囲内において、アンテナ８と異なる位置である時計モジュール３の９時側に配置されている。
【００３８】
次に、輪列ブロック６について説明する。
この輪列ブロック６は、図４〜図１６に示すように、３針用輪列１５、２針用輪列１６、秒針専用輪列１７、および日車用輪列１８を備え、これらが合成樹脂製の地板１９と合成樹脂製の輪列受２０とに平面的に組み込まれている。この場合、３針用輪列１５は、秒針１５ａ、分針１５ｂ、時針１５ｃの３針が時計モジュール３のほぼ中心部に位置した状態で同一軸上に配置されて第１、第２パルスモータ２１、２２によって運針されると共に、２４時針１５ｄが時計モジュール３の９時側に位置した状態で歯車列４１を介して運針されるように構成されている。
【００３９】
また、２針用輪列１６は、図４〜図９、および図１３に示すように、分針１６ａ、２４時針１６ｂの２針が時計モジュール３の３時側に位置した状態で同一軸上に配置されて第３パルスモータ２３によって運針されるように構成されている。秒針専用輪列１７は、図４〜図９、および図１５に示すように、秒針１７ａが時計モジュール３の６時側に位置した状態で第４パルスモータ２４によって運針されるように構成されている。日車用輪列１８は、図４〜図９、および図１６に示すように、地板１９の外周部に沿って配置された日車２６を第５パルスモータ２５で回転させるように構成されている。
【００４０】
このような各輪列１５〜１８の第１〜第５パルスモータ２１〜２５は、図１０（ａ）および図１０（ｂ）に示すように、それぞれコイル部２７と、ステータ２８と、ロータ２９とからなり、コイル部２７に電流を流して磁界を発生させることにより、ステータ２８に誘導された磁界によってロータ２９が回転するように構成されている。この場合、ロータ２９は、その軸の両端が地板１９と輪列受２０とに回転自在に支持され、ロータ部２９ａがステータ２８のロータ孔３８ａ内に接触することなく配置され、この状態でコイル部２７に発生した磁界に応じてステップ回転するように構成されている。
【００４１】
次に、各輪列１５〜１８について順に説明する。
まず、３針用輪列１５について説明する。この３針用輪列１５は、図７〜図１２に示すように、第１パルスモータ２１によって駆動される第１輪列系と、第２パルスモータ２２によって駆動される第２輪列系とに分かれた構成になっている。第１輪列系は、図１１および図１２に示すように、第１パルスモータ２１によって回転する五番車３０と、この五番車３０によって回転する秒針車である四番車３１とを備えている。
【００４２】
第２輪列系は、図７〜図１２に示すように、第２パルスモータ２２によって回転する中間車３２と、この中間車３２によって回転する三番車３３と、この三番車３３によって回転する分針車である二番車３４と、この二番車３４によって回転する日ノ裏車３５と、この日ノ裏車３５によって回転する時針車である筒車３６とを備えているほか、日ノ裏車３５の回転が歯車列４１によって伝達されて２４時間で１回転する２４時針車３７とを備えている。
【００４３】
第１輪列系の五番車３０は、図１１に示すように、その軸の両端部が地板１９と輪列受２０とに回転自在に支持され、この状態で大径の歯車部が第１パルスモータ２１のロータ２９のカナに噛み合って回転する。秒針車である四番車３１は、図１１および図１２に示すように、その秒針軸３１ａが時計モジュール３のほぼ中心に位置した状態で、地板１９に取り付けられた中間受３８と輪列受２０とに回転自在に支持され、この秒針軸３１ａの先端部（図１１では下端部）に秒針１５ａが取り付けられるように構成されている。
【００４４】
この場合、中間受３８は、ステンレスなどの金属薄板からなり、地板１９と輪列受２０とのほぼ中間部に位置した状態で、地板１９に取り付けられている。また、この中間受３８には、図１１および図１２に示すように、四番車３１の秒針軸３１ａが回転自在に挿入するチューブ状の保持筒３９が設けられている。この保持筒３９は、四番車３１の秒針軸３１ａが回転自在に挿入した状態で、後述する分針車である二番車３４の筒状の分針軸３４ａ内に回転自在に挿入して分針軸３４ａを回転自在に保持するように構成されている。
【００４５】
また、第２輪列系の中間車３２は、図１１に示すように、その軸の両端部が地板１９と輪列受２０とに回転自在に支持され、この状態で大径の歯車部が第２パルスモータ２２のロータ２９のカナに噛み合って回転する。三番車３３は、その軸の両端部が地板１９と中間受３５とに回転自在に支持され、この状態で大径の歯車部が中間車３２のカナに噛み合って回転する。分針車である二番車３４は、その分針軸３４ａが筒状に形成され、この筒状の分針軸３４ａ内に中間受３８のチューブ状の保持筒３９が回転自在に挿入することにより、時計モジュール３のほぼ中心に位置した状態で、中間受３８の保持筒３９に支持され、この分針軸３４ａの先端部（図１１では下端部）に分針１５ｂが取り付けられ、この状態で大径の歯車部が三番車３３のカナに噛み合って回転する。
【００４６】
この場合、二番車３４は、地板１９に配置されるときに、大径の歯車部の外周が地板１９に一体に形成された歯車規制部１９ａによって所定の隙間をもって位置規制されると共に、小径の筒カナの外周が地板１９に一体に形成されたカナ規制部１９ｂによって所定の隙間をもって位置規制され、これら歯車規制部１９ａとカナ規制部１９ｂとによって二番車３４が地板１９に対し概略的に位置規制されている。また、この二番車３４は、図１７に示すように、組付治具Ｇ１によって二番車３４の分針軸３４ａが正確に位置決めされ、この状態で分針軸３４ａ内に中間受３８のチューブ状の保持筒３９が回転自在に挿入することにより、分針軸３４ａが中間受３８の保持筒３９に回転自在に支持されている。
【００４７】
日ノ裏車３５は、図１２に示すように、中間受３８に取り付けられた支持軸４０に回転自在に取り付けられ、この状態で大径の歯車部が二番車３４の筒カナに噛み合って回転する。この場合、日ノ裏車３５の支持軸４０は、図１２に示すように、中間受３８の取付孔３８ａに挿入され、この状態で支持軸４０の頭部４０ａが輪列受２０に設けられた軸押え部２０ａによって押えられることにより、中間受３８にほぼ垂直に位置規制されている。
【００４８】
時針車である筒車３６は、図１１および図１２に示すように、その時針軸３６ａが筒状に形成され、この筒状の時針軸３６ａ内に分針軸３４ａが回転自在に挿入することにより、時計モジュール３のほぼ中心に位置した状態で、分針軸３４ａに支持されている。また、この筒車３６は、その時針軸３６ａの先端部（図１１では下端部）に時針１５ｃが取り付けられ、この状態で歯車部が日ノ裏車３５のカナに噛み合って回転する。これにより、秒針軸３１ａ、分針軸３４ａ、時針軸３６ａは、同一軸上に配置されている。
【００４９】
一方、歯車列４１は、図７および図１２に示すように、第１中間車４２と第２中間車４３との２枚の歯車からなり、日ノ裏車３５の回転を減速して２４時針車３７に伝達する。この場合、第１中間車４２は、図１２に示すように、地板１９の下面に設けられた支持ピン１９ｃに回転自在に取り付けられ、この状態で日ノ裏車３５のカナに噛み合って回転する。第２中間車４３は、図１２に示すように、地板１９の下面に設けられた支持ピン１９ｄに回転自在に取り付けられ、この状態で大径の歯車部が第１中間車４１に噛み合って回転する。
【００５０】
２４時針車３７は、図１２に示すように、その２４時針軸３７ａが時計モジュール３の９時側に位置した状態で輪列受２０に回転自在に取り付けられ、この２４時針軸３７ａの先端部（図１２では下端部）に２４時針１５ｄが取り付けられ、この状態で歯車部が第２中間車４３のカナに噛み合って回転することにより、２４時間で１回転する。この場合、２４時針車３７、第１、第２中間車４２、４３、日ノ裏車３５、および時針車である筒車３６は、スプリングワッシャなどの弾性座金３６ｂ、３７ｂ、４８ｂを介して後述する日車押え板５５によって回転可能な状態で弾力的に押えられている。
【００５１】
次に、２針用輪列１６について説明する。
この２針用輪列１６は、図１に示すように、時計モジュール３の３時側に配置されて、分針１６ａ、２４時針１６ｂの２針を第３パルスモータ２３で運針する構成になっている。すなわち、この２針用輪列１６は、図７〜図９、および図１３に示すように、第３パルスモータ２３によって回転する中間車４５と、この中間車４５によって回転する分針車である二番車４６と、この二番車４６によって回転する日ノ裏車４７と、この日ノ裏車４７によって２４時間で１回転する２４時針車４８とを備えている。
【００５２】
この２針用輪列１６の中間車４５は、図１３に示すように、その軸の両端部が地板１９と輪列受２０とに回転自在に支持され、この状態で大径の歯車部が第３パルスモータ２３のロータ２９のカナに噛み合って回転する。また、分針車である二番車４６は、その分針軸４６ａが時計モジュール３の３時側に位置した状態で地板１９と輪列受２０とに回転自在に支持され、この分針軸４６ａの先端部（図１３では下端部）に分針１６ａが取り付けられ、この状態で大径の歯車部が中間車４５のカナに噛み合って回転する。
【００５３】
日ノ裏車４７は、その軸の両端部が地板１９と輪列受２０とに回転自在に支持され、この状態で大径の歯車部が二番車４６の筒カナに噛み合って回転する。２４時針車４８は、筒車であり、その筒状の２４時針軸４８ａが時計モジュール３の３時側に位置した状態で、この２４時針軸４８ａ内に二番車４６の分針軸４６ａが回転自在に挿入し、これにより分針軸４６ａに支持され、この状態で日ノ裏車４７のカナに噛み合って２４時間で１回転する。これにより、分針軸４６ａと２４時針軸４８ａは、同一軸上に配置されている。
【００５４】
次に、秒針専用輪列１７について説明する。
この秒針専用輪列１７は、図１に示すように、時計モジュール３の６時側に配置され、秒針１７ａを第４パルスモータ２４で運針する構成になっている。すなわち、この秒針専用輪列１７は、図７〜図９、および図１５に示すように、第４パルスモータ２４によって回転する五番車５０と、この五番車５０によって回転する秒針車である四番車５１とを備えている。
【００５５】
この場合、五番車５０は、図１５に示すように、その軸の両端部が地板１９と輪列受２０とに回転自在に支持され、この状態で大径の歯車部が第４パルスモータ２４のロータ２９のカナに噛み合って回転する。秒針車である四番車５１は、その秒針軸５１ａの両端部が地板１９と輪列受２０とに回転自在に支持され、この秒針軸５１ａの先端部（図１５では下端部）に秒針１７ａが取り付けられ、この状態で歯車部が五番車５０のカナに噛み合って回転する。
【００５６】
次に、日車用輪列１８について説明する。
この日車用輪列１８は、日車２６を第５パルスモータ２５で回転させる構成で、図７〜図９、および図１６に示すように、第５パルスモータ２５によって回転する五番車５２と、この五番車５２によって回転する中間車５３と、この中間車５３によって回転する日回し車５４と、この日回し車５４によって回転する日車２６とを備えている。この日車用輪列１８の五番車５２は、図１６に示すように、その軸の両端部が地板１９と輪列受２０とに回転自在に支持され、この状態で大径の歯車部が第５パルスモータ２５のロータ２９のカナに噛み合って回転する。
【００５７】
また、日車用輪列１８の中間車５３は、図１６に示すように、その軸の両端部が地板１９と輪列受２０とに回転自在に支持され、この軸の先端部（図１６では下端部）が地板１９の下側に突出し、この突出した先端部にカナが設けられ、この状態で中間車５３の歯車部が五番車５２のカナに噛み合って回転する。日回し車５４は、地板１９の下面に設けられた支持ピン１９ｅに回転自在に取り付けられ、この状態で大径の歯車部が中間車５３のカナに噛み合って回転する。
【００５８】
日車２６は、図６および図７に示すように、地板１９の外周に沿う大きさのリング状に形成され、その内周面に内歯車部２６ａが設けられ、表面に日付が所定間隔で表示されている。この日車２６は、図７に示すように、その外周縁が地板１９の表面における外周部に設けられた円形状のガイド部１９ｆによって所定間隔をもって位置規制され、図１３および図１５に示すように、その内周部の厚みが一段薄く形成され、この一段薄く形成された内周部が日車押え板５５によって回転自在に保持され、この状態で内歯車部２６ａが日回し車５４のカナに噛み合って一ヶ月で１回転する。また、この日車２６は、地板１９に固定ねじ５６によって固定された日車押え板５５によって回転自在に保持されている。
【００５９】
この日車押え板５５は、図６、図１１〜図１６に示すように、日車２６の内歯車部２６ａとほぼ同じ大きさの円板状に形成され、日車２６の内周部の一段薄く形成された内歯車部２６ａを日車押え板５５の外周部で回転自在に押え付けると共に、日車押え板５５に設けられた押え突起５５ａで２針用輪列１６の２４時針車４８を回転自在に押え付け、この状態で固定ねじ５６によって地板１９に固定されている。この場合、２４時針車４８の歯車部は、その外周部の厚みが一段薄く形成され、これにより２４時針車４８の歯車部と日車２６の内歯車部２６ａとが互いに干渉しないように構成されている。
【００６０】
固定ねじ５６は、図１３および図１４に示すように、頭部５７とねじ部５８とからなり、頭部５７が日車押え板５５に設けられた逆円錐形の取付孔５５ｂ内に配置される逆円錐形の皿部５７ａと、地板１９に設けられた座ぐり部５９の底面に当接する円板部５７ｂとで形成された構成になっている。そして、この固定ねじ５６は、そのねじ部５８が地板１９内に埋め込まれたねじ孔部材６０のねじ孔６０ａに螺着したときに、逆円錐形の皿部５７ａの外周面が日車押え板５５の逆円錐形の取付孔５５ｂの内周面に接触した状態で、円板部５７ｂが地板１９の座ぐり部５９の底面に当接して固定され、これにより日車押え板５５を地板１９に固定するように構成されている。
【００６１】
一方、このような輪列ブロック６の輪列受２０には、図８、図１１〜図１３、図１５に示すように、３針用輪列１５、２針用輪列１６、秒針専用輪列１７の各指針軸を弾力的に押えて、各指針車のバックラッシによる回転のバラツキを抑えるための板ばね部材６１が組み付けられている。すなわち、この板ばね部材６１は、図１８に示すように、３針用輪列１５の秒針軸３１ａの端面を弾力的に押える第１ばね部６１ａと、２針用輪列１６の分針軸４６ａの端面を弾力的に押える第２ばね部６１ｂと、秒針専用輪列１７の秒針軸５１ａの端面を弾力的に押える第３ばね部６１ｃとが一体に形成されているほか、図１８および図２１に示すように、輪列受２０の上側に配置される回路基板７の下面に弾力的に当接する複数の押えばね部６１ｄ、６１ｅが一体に形成された構成になっている。
【００６２】
この場合、板ばね部材６１には、図１８に示すように、第１〜第３ばね部６１ａ〜６１ｃのうち、第１、第３ばね部６１ａ、６１ｃの各根元部を除いて、第１、第３ばね部６１ａ、６１ｃの周囲を切り抜く第１、第２切抜き部７５、７６がそれぞれ形成され、これにより第１、第３ばね部６１ａ、６１ｃが板ばね部材６１内に舌状に形成されている。また、第２ばね部６１ｂは、板ばね部材６１の外周から２針用輪列１６の分針軸４６ａの端面に向けて舌状に細長く延出されて形成されている。
【００６３】
また、輪列受２０には、図１８〜図２１に示すように、第１〜第３ばね部６１ａ〜６１ｃの各先端部が上下方向に変位可能に挿入する溝部７７ａ〜７９ａを有して各ばね部６１ａ〜６１ｃの上方に突出する第１〜第３ばね受け部７７〜７９が一体に設けられている。この場合、第１〜第３ばね受け部７７〜７９のうち、第１ばね受け部７７は、図１８〜図２１に示すように、第１ばね部６１ａの先端部に位置する第１切抜き部７５内に挿入するほぼ円柱状に形成され、その中心部から外周面に向けて第１ばね部６１ａの先端部が挿入して第１ばね部６１ａの先端部を位置規制する溝部７７ａが形成されていると共に、ほぼ円柱状の外周面が第１ばね部６１ａの先端部付近に位置する板ばね部材６１の第１切抜き部７５の内周面に対面して、その付近に位置する板ばね部材６１を位置規制するように構成されている。
【００６４】
第２ばね受け部７８は、図１８に示すように、第１ばね受け部７７とほぼ同じ大きさのほぼ円柱状に形成され、その中心部から外周面に向けて第２ばね部６１ｂの先端部が挿入して第２ばね部６１ｂの先端部を位置規制する溝部７８ａが形成された構成になっている。また、第３ばね受け部７９は、第１ばね受け部７７と同様、第３ばね部６１ｃの先端部に位置する第２切抜き部７６内に挿入するほぼ円柱状に形成され、その中心部から外周面に向けて第３ばね部６１ｃの先端部が挿入して第３ばね部６１ｃの先端部を位置規制する溝部７９ａが形成されていると共に、ほぼ円柱状の外周面が第３ばね部６１ｃの先端部付近に位置する板ばね部材６１の第２切抜き部７６の内周面に対面して、その付近に位置する板ばね部材６１を位置規制するように構成されている。
【００６５】
また、板ばね部材６１に設けられた押えばね部６１ｄ、６１ｅは、第１、第３ばね部６１ａ、６１ｃと同様、その各根元部を除いて、板ばね部材６１における押えばね部６１ｄ、６１ｅの周囲に位置する箇所をそれぞれ切り抜く第３、第４切抜き部８０、８１が板ばね部材６１に形成されていることにより、押えばね部６１ｄ、６１ｅが板ばね部材６１内に舌状に形成されている。この場合、押えばね部６１ｄは、図１８に示すように、第１ばね部６１ａと平行にその近傍に設けられて、図２１に示すように、輪列受２０の上側に配置される回路基板７の下面に弾力的に当接するように構成されている。また、押えばね部６１ｅは、第１ばね部６１ａと同様、第３ばね部６１ｃと平行にその近傍に設けられて、回路基板７の下面に弾力的に当接するように構成されている。
【００６６】
そして、この板ばね部材６１は、第１〜第３ばね部６１ａ〜６１ｃの各先端部が第１〜第３ばね受け部７７〜７９の各溝部７７ａ〜７９ａ内にそれぞれ上下方向に変位可能に挿入されて位置規制されると共に、第１、第３ばね受け部７７、７９が第１、第２ばね部６１ａ、６１ｃの先端部に位置する板ばね部材６１の第１、第２切抜き部７５、７６内にそれぞれ挿入されて第１、第２ばね部６１ａ、６１ｃの先端付近の板ばね部材を位置規制し、この状態で押えばね部６１ｄ、６１ｅが輪列受２０の上側に配置される回路基板７に弾力的に当接することにより、ビスを用いずに、輪列受２０に組み付けられている。
【００６７】
このような輪列ブロック６、回路基板７、アンテナ８、および電池９を搭載した時計モジュール３は、図２、図２２〜図２４に示すように、モジュール押え板１０によって腕時計ケース１内に組み込まれる。すなわち、この時計モジュール３は、輪列ブロック６の下側に回路基板７が配置され、この輪列ブロック６と回路基板７との厚みの範囲内において、時計モジュール３の１２時側にアンテナ８が、その一部を日車用輪列１８の日車２６の下側に対応させた状態で配置され、時計モジュール３の９時側に電池９が、その一部を日車用輪列１８の日車２６、および３針用輪列１５の歯車列２３と２４時針車４３との下側にそれぞれ対応させた状態で配置され、この状態でモジュール押え板１０によって腕時計ケース１内に組み付けられている。
【００６８】
この場合、地板１９には、図８および図９に示すように、アンテナ８の上部側を収納するアンテナ収納部６２ａと、電池９の上部側を収納する電池収納部６２ｂとが設けられている。また、輪列ブロック６は、図８および図９に示すように、駆動頻度の最も高いパルスモータ、例えば秒針専用輪列１７の第４パルスモータ２４が、アンテナ８の受信感度を妨げないように、アンテナ８から最も離れた位置に配置されている。さらに、この輪列ブロック６上には、ソーラーパネル１１と透明な文字板１２とが配置されており、これらソーラーパネル１１と透明な文字板１２とは、押えリング１３によって輪列ブロック６に取り付けられている。
【００６９】
ソーラーパネル１１は、透明な文字板１２を通して外部光を受光することにより、起電力を発生するものである。透明な文字板１２の表面には、図１に示すように、時字１２ａが印刷されていると共に、日車２６に表示された日付に対応する日付表示窓部１２ｂが設けられている。また、この文字板１２の表面における９時側に位置する箇所には、３針用輪列１５の２４時針１５ｄの運針領域に対応する円形の目盛部１２ｃが印刷されており、文字板１２の３時側に位置する箇所には、２針用輪列１５の分針１６ａおよび２４時針１６ｂの運針領域に対応する円形の目盛部１２ｄが印刷されている。また、この文字板１２の９時側に位置する箇所には、秒針専用輪列１７の秒針１７ａの運針領域に対応する円形の目盛部１２ｅが印刷されている。
【００７０】
そして、この時計モジュール３は、図２２に示すように、その下部に配置されたモジュール押え板１０によって位置決めされた状態で、腕時計ケース１内に組み込まれている。すなわち、このモジュール押え板１０は、図２３（ａ）および図２３（ｂ）に示すように、合成樹脂からなる円板で、その中央部および電池収納部６２ｂに対応して開口部１０ａが設けられ、外周部に複数の位置規制突起部１０ｂが設けられた構成になっている。
【００７１】
このモジュール押え板１０の位置規制突起部１０ｂは、図２４（ａ）および図２４（ｂ）に示すように、時計ガラス２の下面外周に見切り部材６３を介して時計モジュール３を腕時計ケース１内に配置するときに、腕時計ケース１の内周面に設けられた位置決め凹部６４と、輪列ブロック６の地板１９および輪列受２０の外周面に設けられた位置決め凹部６５との両者に嵌合することにより、腕時計ケース１内に時計モジュール３を位置決めするように構成されている。
【００７２】
次に、このような腕時計を使用する場合について説明する。
この腕時計では、基本時計モード、クロノグラフモード、ワールドタイムモード、アラームモード、時刻修正モードがあり、第１〜第４押釦スイッチ５ａ〜５ｄを操作することにより、いずれかのモードに切り替わる。基本時計モードは現在時刻を表示するモードであり、クロノグラフモードは時間を計測するモードであり、ワールドタイムモードは世界の各都市の時間を表示するモードであり、アラームモードはアラーム時刻を表示するモードであり、時刻修正モードは時刻を修正するモードである。以下、各モードについて順に説明する。
【００７３】
基本時計モードは、図１において、３針用輪列１５の第２パルスモータ２２が動作して分針１５ｂ、時針１５ｃ、２４時針１５ｄを運針させることにより、分・時・２４時の時刻を指示すると共に、秒針専用輪列１７の第４パルスモータ２４が動作して秒針１７ａを運針させることにより、秒時刻を指示するほか、日車用輪列１８の第５パルスモータ２５が動作して日車２６を回転させることにより、日付を文字板１２の日付表示窓部１２ｂに対応させて表示する。このときには、３針用輪列１５の第１パルスモータ２１は動作しないため、秒針１５ａは基準位置（１２時の位置）に停止している。また、２針用輪列１６の第３パルスモータ２３も動作しないため、分針１６ａ、２４時針１６ｂも基準位置に停止している。
【００７４】
クロノグラフモードは、基本時計モードで第４押釦スイッチ５ｄが操作されると、クロノグラフモードに切り替わる。このときには、秒針専用輪列１７の秒針１７ａがリセットされて基準位置に位置するが、３針用輪列１５の分針１５ｂ、時針１５ｃ、２４時針１５ｄ、および日車用輪列１８の日車２６はそのまま動作して基準時刻を指示する。この状態で、再び第４押釦スイッチ５ｄが操作されると、クロノグラフがスタートし、３針用輪列１５の第１パルスモータ２１が動作して秒針１５ａが運針する共に、秒針専用輪列１７の第４パルスモータ２４が動作して秒針１７ａが運針するほか、これに連動して２針用輪列１６の第３パルスモータ２３が動作して分針１６ａおよび２４時針１６ｂも運針する。
【００７５】
このときには、３針用輪列１５の第１パルスモータ２１が秒針１５ａを１分間に１回転する速度で運針させ、秒針専用輪列１７の第４パルスモータ２４が秒針１７ａを１秒間に１回転させる高速で運針させる。また、２針用輪列１６の第３パルスモータ２３は、分針１６ａを６０分で１回転させる速度で運針させ、２４時針１６ｂを２４時間で１回転させる速度で運針させる。これにより、秒針専用輪列１７の秒針１７ａ、３針用輪列１５の秒針１５ａ、および２針用輪列１６の分針１６ａ、２４時針１６ｂが運針して時間を計測する。
【００７６】
この状態で、再度、第４押釦スイッチ５ｄが操作されると、クロノグラフが停止し、秒針専用輪列１７の秒針１７ａ、３針用輪列１５の秒針１５ａ、および２針用輪列１６の分針１６ａ、２４時針１６ｂが停止して計測時間を指示表示する。この後、再び第４押釦スイッチ５ｄが操作されると、クロノグラフが再びスタートし、上記と同様に、時間を計測し、再度、第４押釦スイッチ５ｄが操作されると、クロノグラフが停止して、計測時間が指示表示される。なお、第２押釦スイッチ５ｂが操作されると、基本時計モードに戻る。
【００７７】
ワールドタイムモードは、基本時計モードで第１押釦スイッチ５ａが操作されると、ワールドタイムモードに切り替わる。このときには、３針用輪列１５の秒針１５ａが見切り部材６３に表示された各都市のいずれかを指示し、２針用輪列１６の分針１６ａおよび２４時針１６ｂが秒針１５ａで指示された都市のローカル時刻を指示し、秒針専用輪列１７の秒針１７ａがホーム時刻とローカル時刻の双方の秒時刻（双方とも同じ秒時刻である）を指示する。また、３針用輪列１５の分針１５ｂ、時針１５ｃ、２４時針１５ｄ、および日車用輪列１８の日車２６はそのまま動作してホーム時刻を指示する。
【００７８】
この場合、見切り部材６３に表示された各都市コードは、偶数ステップ（２分間隔）ごとに表示され、基準都市は１２時の位置（ＧＭＴ）になっている。また、都市を変更する場合には、第１押釦スイッチ５ａを押した後、１秒以内に再び第１押釦スイッチ５ａを押ごとに、３針用輪列１５の秒針１５ａが順次移動して都市が変更され、これに伴って２針用輪列１６の分針１６ａおよび２４時針１６ｂが、変更された都市のローカル時刻を指示する。また、第２押釦スイッチ５ｂを操作しながら第１押釦スイッチ５ａを操作すると、ホーム時刻とローカル時刻とが入れ替わる。なお、第２押釦スイッチ５ｂのみを操作すると、基本時計モードに戻る。
【００７９】
アラームモードは、基本時計モードで第３押釦スイッチ５ｃが操作されると、アラームモードに切り替わる。このときには、３針用輪列１５の秒針１５ａが１１時付近に表示されたオン（ＯＮ）を指示し、２針用輪列１６の分針１６ａおよび２４時針１６ｂがアラーム時刻を指示する。また、秒針専用輪列１７の秒針１７ａ、および３針用輪列１５の分針１５ｂ、時針１５ｃ、２４時針１５ｄ、および日車用輪列１８の日車２６はそのまま動作して基準時刻を指示する。なお、第４押釦スイッチ５ｄが操作されると、基本時計モードに戻る。
【００８０】
時刻修正モードは、基本時計モードで第２押釦スイッチ５ｂが操作されると、時刻修正モードに切り替わる。このときには、３針用輪列１５の秒針１５ａが３時付近に表示されたイエス（Ｙ）を指示し、２針用輪列１６の分針１６ａおよび２４時針１６ｂがアンテナ８で受信した前回の受信結果を指示する。また、秒針専用輪列１７の秒針１７ａ、および３針用輪列１５の分針１５ｂ、時針１５ｃ、２４時針１５ｄ、および日車用輪列１８の日車２６はそのまま動作して基準時刻を指示する。
【００８１】
この状態で、再び第２押釦スイッチ５ｂを２秒間操作すると、３針用輪列１５の秒針１５ａが７時付近に表示されたレディー（ＲＥＡＤＹ）を指示し、秒針専用輪列１７の秒針１７ａを基準位置に戻し、強制的にアンテナ８で標準時刻電波を受信する。そして、第２押釦スイッチ５ｂを５秒間操作すると、時刻修正状態になり、第１押釦スイッチ５ａで正転修正を行い、第２押釦スイッチ５ｂで秒修正を行い、第３押釦スイッチ５ｃで日付修正を行い、第４押釦スイッチ５ｄで逆転修正を行い、基本時計モードに戻る。
【００８２】
このように、この腕時計によれば、クロノグラフ機能を有する輪列ブロック６が、複数組の輪列、つまり３針用輪列１５、２針用輪列１６、秒針専用輪列１７、日車用輪列１８を平面的に配列した構成であることにより、輪列ブロック６の厚みを薄くすることができると共に、複数組の輪列を平面的に組み付けることができるので、組立作業性が良い。また、複数組の輪列を平面的に組み付けた輪列ブロック６の下側に回路基板７を重ねて配置するので、回路基板７を複数に分割する必要なく、１枚の回路基板７を輪列ブロック６に簡単に重ねて組み付けることができ、これによっても組立作業性を向上させることができる。さらに、輪列ブロック６と回路基板７とを重ねた厚みの範囲内において、アンテナ８および電池９を輪列ブロック６と回路基板７との側方部にそれぞれ配置しているので、アンテナ８および電池９の厚みが厚くても、アンテナ８および電池９をコンパクトに組み込むことができる。これらによって、時計全体の薄型化を図ることができる。
【００８３】
この場合、輪列ブロック６は、秒針１５ａ、分針１５ｂ、時針１５ｃの３針を同一軸上に配置して第１、第２パルスモータ２１、２２で運針する３針用輪列１５と、分針１６ａ、時針１６ｂの２針を同一軸上に配置して第３パルスモータ２３で運針する２針用輪列１６と、秒針１７ａのみを第４パルスモータ２４で運針する秒針専用輪列１７と、日車２６を第５パルスモータ２５で回転させる日車用輪列１８とを備えた構成であることにより、３針用輪列１５、２針用輪列１６、秒針専用輪列１７、および日車用輪列１８をそれぞれ独立して駆動することができ、これにより各輪列１５〜１８のいずれかを時刻系とクロノグラフ系とに変更することができると共に、時刻系とクロノグラフ系とを自由に変更して組み合わせることができ、これにより時刻系とクロノグラフ系との組み合わせのバリエーションが豊富になるほか、より多くの多機能表示ができる。
【００８４】
例えば、上述した実施形態のように、３針用輪列１５の分針１５ｂ、時針１５ｃを運針する第２パルスモータ２２、および秒針専用輪列１７の秒針１７ａを運針する第４パルスモータ２４、並びに日車用輪列１８の日車２６を運針する第５パルスモータ２５を時刻系として駆動し、３針用輪列１５の秒針１５ａを駆動する第１パルスモータ２１、２針用輪列１６の分針１６ａ、時針１６ｂを運針する第３パルスモータ２３、および秒針専用輪列１７の秒針１７ａを運針する第４パルスモータ２４をクロノグラフ系として駆動することができる。
【００８５】
また、３針用輪列１５の秒針１５ａ、分針１５ｂ、時針１５ｃ、２４時針１５ｄを運針する第１、第２パルスモータ２１、２２、および日車用輪列１８の日車２６を運針する第５パルスモータ２５を時刻系として駆動し、２針用輪列１６の分針１６ａ、時針１６ｂを運針する第３パルスモータ２３と、秒針専用輪列１７の秒針１７ａを運針する第４パルスモータ２４とを、クロノグラフ系として駆動することもできる。また、これら以外の組み合わせで各パルスモータ２１〜２５を駆動することにより、時刻系とクロノグラフ系とを適宜変更することができるほか、ワールドタイムなどのより多くの多機能表示ができる。
【００８６】
また、この腕時計では、３針用輪列１５、２針用輪列１６、秒針専用輪列１７、および日車用輪列１７が、地板１９と輪列受２０とに組み付けられていることにより、３針用輪列１５、２針用輪列１６、秒針専用輪列１７、および日車用輪列１８の全てを、地板１９と輪列受２０とにほぼ平面的に組み付けることができる共に、３針用輪列１５、２針用輪列１６、秒針専用輪列１７、および日車用輪列１８がそれぞれ独立して動作する構成であることにより、３針用輪列１５、２針用輪列１６、秒針専用輪列１７、および日車用輪列１８をそれぞれ個別に組み込むことができ、これにより組立作業性のより一層の向上を図ることができる。
【００８７】
この場合、日車用輪列１８の日車２６は、地板１９の外周部に沿ってその表面側に配置され、この日車２６の一部にアンテナ８の一部と電池９の一部とがそれぞれ平面方向の異なる位置で重なっていることにより、日車用輪列１８の日車２６にアンテナ８の一部と電池９の一部とを平面方向の異なる位置で重ねても、輪列ブロック６のうちで、日車用輪列１８の日車２６の箇所が最も厚みが薄いため、時計モジュール３の厚みがほとんど厚くならず、アンテナ８と電池９とをコンパクトに組み込むことができ、これによっても時計全体の小型化を図ることができる。
【００８８】
特に、３針用輪列１５の２４時針車３７と歯車列４１とが地板１９の表面側に配置されることにより、３針用輪列１５の２４時針車３７と歯車列４１とにおける箇所の厚みを薄くすることができ、しかも電池９の一部が２４時針車３７と歯車列４１とに重なって配置されていることにより、時計モジュール３の厚みがほとんど厚くならず、電池９をコンパクトに組み込むことができ、これによっても時計全体の小型化を図ることができる。
【００８９】
また、この腕時計では、地板１９と輪列受２０との間に３針用輪列１５の秒針車である四番車３１を支持するための中間受３８が配置され、この中間受３８に四番車３１の秒針軸３１ａが回転自在に挿入するチューブ状の保持筒３９が設けられ、この保持筒３９が３針用輪列１５の分針車である二番車３４の筒状の分針軸３４ａ内に回転自在に挿入して分針軸３４ａを回転自在に保持することにより、３針用輪列１５の四番車３１と二番車３４とを容易に且つ正確に組み込むことができる。
【００９０】
すなわち、３針用輪列１５の二番車３４と四番車３１とを組み込むときには、まず、地板１９に二番車３４を配置して組付治具Ｇ１で分針軸３４ａを保持し、この状態で二番車３４を地板１９に支持すると共に、この地板１９に中間受３８を取り付け、この中間受３８に設けられたチューブ状の保持筒３９を二番車３４の分針軸３４ａに挿入させることにより、二番車３４を所定位置に正確に且つ確実に組み付けることができる。この状態で、中間受３８に四番車３１を取り付けるときには、中間受３８に設けられたチューブ状の保持筒３９に四番車３１の秒針軸３１ａを挿入することにより、四番車３１を容易に且つ正確に組み込むことができる。
【００９１】
さらに、この腕時計では、輪列受２０に、３針用輪列１５、２針用輪列１６、秒針専用輪列１７の各指針軸を弾力的に押えて、各指針車のバックラッシによる回転のバラツキを抑えるための板ばね部材６１が組み付けられ、この板ばね部材６１に、３針用輪列１５の秒針軸３１ａの端面を弾力的に押える第１ばね部６１ａと、２針用輪列１６の分針軸４６ａの端面を弾力的に押える第２ばね部６１ｂと、秒針専用輪列１７の秒針軸５１ａの端面を弾力的に押える第３ばね部６１ｃとが一体に形成されているので、３針用輪列１５、２針用輪列１６、秒針専用輪列１７がそれぞれ独立して動作する構成であっても、第１〜第３ばね部６１ａ〜６１ｃによって３針用輪列１５の秒針軸３１ａ、２針用輪列１６の分針軸４６ａ、および秒針専用輪列１７の秒針軸５１ａを一定の運針動作を保って安定させて運針させることができる。
【００９２】
この場合、３針用輪列１５、２針用輪列１６、秒針専用輪列１７の各指針軸、つまり３針用輪列１５の秒針軸３１ａ、２針用輪列１６の分針軸４６ａ、および秒針専用輪列１７の秒針軸５１ａがそれぞれ異なる位置に配置されていても、板ばね部材６１に設けられた第１〜第３ばね部６１ａ〜６１ｃによって３針用輪列１５、２針用輪列１６、秒針専用輪列１７の各指針軸をそれぞれ弾力的に押えることができるので、１つの板ばね部材６１を輪列受２０に組み付けるだけで、一度に３針用輪列１５、２針用輪列１６、秒針専用輪列１７の各指針軸をそれぞれ第１〜第３ばね部６１ａ〜６１ｃで押えることができ、これにより組付作業性を大幅に向上させることができる。
【００９３】
また、輪列受２０には、第１〜第３ばね部６１ａ〜６１ｃの各先端部がそれぞれ上下方向に変位可能に挿入する溝部７７ａ〜７９ａを有して第１〜第３ばね部６１ａ〜６１ｃの上方にそれぞれ突出する第１〜第３ばね受け部７７〜７９が設けられているので、３針用輪列１５、２針用輪列１６、秒針専用輪列１７の各指針車を輪列受２０に組み付けた状態で、板ばね部材６１を輪列受２０に組み付け、図１９に示すように、この輪列受２０を組付治具８２に配置した状態（図１９では上下が反対に示されている）で、各指針軸の先端にそれぞれ指針を圧入によって取り付けるときに、板ばね部材６１および第１〜第３ばね部６１ａ〜６１ｃが輪列受２０と組付治具８２との間に挟まれていても、板ばね部材６１の第１〜第３ばね部６１ａ〜６１ｃの上方に突出した第１〜第３ばね受け部７７〜７９が組付治具８２に当接することにより、第１〜第３ばね受け部７７〜７９によって指針の圧入荷重を受け止めることができる。
【００９４】
このときには、第１〜第３ばね部６１ａ〜６１ｃの各先端部が第１〜第３ばね受け部７７〜７９の各溝部７７ａ〜７９ａ内で上下方向に変位するので、指針の圧入荷重が各指針軸を介して第１〜第３ばね部６１ａ〜６１ｃに加わると、その圧入荷重によって第１〜第３ばね部６１ａ〜６１ｃが弾性変形しても塑性変形することがなく、これにより第１〜第３ばね部６１ａ〜６１ｃが本来の機能を損なわずに、各指針軸を一定の荷重で安定して押えることができる。
【００９５】
また、第１〜第３ばね受け部７７〜７９の各溝部７７ａ〜７９ａは、第１〜第３ばね部６１ａ〜６１ｃの各先端部を各指針軸の端面に対応させて面方向に位置規制しているので、輪列受２０に板ばね部材６１を組み付けるときに、第１〜第３ばね受け部７７〜７９の各溝部７７ａ〜７９ａに第１〜第３ばね部６１ａ〜６１ｃの各先端部を挿入するだけで、簡単に且つ正確に第１〜第３ばね部６１ａ〜６１ｃの各先端部を各指針軸の端面に対応させて位置決めすることができ、これにより板ばね部材６１の組付作業性を向上させることができる。
【００９６】
この場合、板ばね部材６１には、第１〜第３ばね部６１ａ〜６１ｃのうち、第１、第３ばね部６１ａ、６１ｃの根元部を除いて、その第１、第３ばね部６１ａ、６１ｃの周囲を切り抜く第１、第２切抜き部７５、７６がそれぞれ形成され、これにより第１、第３ばね部６１ａ、６１ｃが板ばね部材６１内に舌状に形成されていることにより、第１、第３ばね部６１ａ、６１ｃが板ばね部材６１の外周から側方へ突出することがなく、板ばね部材６１内に第１、第３ばね部６１ａ、６１ｃを設けることができると共に、第１、第３ばね部６１ａ、６１ｃの周囲を板ばね部材６１で囲うことができるので、板ばね部材６１によって第１、第３ばね部６１ａ、６１ｃを保護することができ、これにより板ばね部材６１の取り扱いが容易で、板ばね部材６１を輪列受２０に良好に組み付けることができる。
【００９７】
また、第１〜第３ばね受け部７７〜７９のうち、第１ばね受け部７７が、第１ばね部６１ａの先端部に位置する第１切抜き部７５内に挿入して、その外周面で第１ばね部６１ａの先端部付近に位置する板ばね部材６１を位置規制し、第３ばね受け部７９が、第３ばね部６１ｃの先端部に位置する第２切抜き部７６内に挿入して、その外周面で第３ばね部６１ｃの先端部付近に位置する板ばね部材６１を位置規制するので、輪列受２０に板ばね部材６１を組み付けるときに、第１、第３ばね受け部７７、７９を板ばね部材６１の第１、第２切抜き部７５、７６内に挿入するだけで、第１、第３ばね部６１ａ、６１ｃの先端部をそれぞれ各指針軸の端面に対応させた状態で、第１、第３ばね受け部７７、７９によって板ばね部材６１を簡単に且つ正確に位置決めすることができ、これによっても板ばね部材６１の組付作業性を向上させることができる。
【００９８】
さらに、板ばね部材６１は、第１、第３ばね部６１ａ、６１ｃの根元部を除いて、その第１、第３ばね部６１ａ、６１ｃの周囲を切り抜く第１、第２切抜き部７５、７６がそれぞれ形成され、これにより第１、第３ばね部６１ａ、６１ｃが板ばね部材６１内に舌状に形成されているほか、第２ばね部６１ｂが板ばね部材６１の外周から２針用輪列１６の分針軸４６ａの端面に向けて細長く延出されて形成されているので、板ばね部材６１に第１〜第３ばね部６１ａ〜６１ｃを一体に形成しても、板ばね部材６１を最小限の大きさでコンパクトに形成することができ、これにより板ばね部材６１を輪列受２０に組み付ける際、３針用輪列１５、２針用輪列１６、秒針専用輪列１７、日車用輪列１８を妨げることなく、コンパクトに組み付けることができる。
【００９９】
またさらに、板ばね部材６１には、これを挟んで輪列受２０に対面して配置される回路基板７に弾接して板ばね部材６１を輪列受２０に対し弾力的に押える押えばね部６１ｄ、６１ｅが設けられていることにより、回路基板７を輪列受２０に対面させて配置するときに、板ばね部材６１の各押えばね部６１ｄ、６１ｅが回路基板７に弾接するので、各押えばね部６１ｄ、６１ｅの反力によって板ばね部材６１を輪列受２０に組み付けることができ、これによりビスを用いずに、板ばね部材６１を輪列受２０に簡単に取り付けることができる。
【０１００】
すなわち、板ばね部材６１は、第１〜第３ばね受け部７７〜７９によって第１〜第３ばね部６１ａ、６１ｃの各先端部およびその付近に位置する板ばね部材６１が面方向に位置規制されているので、板ばね部材６１に設けられた各押えばね部６１ｄ、６１ｅによって板ばね部材６１を上下方向に押えるだけで、簡単に且つ確実に板ばね部材６１を輪列受２０に組み付けることができる。
【０１０１】
なお、上記実施形態の時計モジュール３では、日車用輪列１８の日車２６の下側にアンテナ８の一部と電池９の一部を重ねて配置すると共に、３針用輪列１５の歯車列２３と２４時針車４３との下側に電池９の一部を更に重ねて配置した場合について述べたが、これに限らず、例えば図２５に示す第１変形例のように、時計モジュール３は、アンテナ８および電池９が輪列ブロック６に重ならないように、輪列ブロック６と回路基板７との側方に配置した構成でも良い。この場合にも、アンテナ８および電池９は、輪列ブロック６と回路基板７とを重ねた厚みの範囲内であれば良い。このような時計モジュール３では、モジュール押え板１０によって腕時計ケース１内に組み込まれることにより、上記実施形態のものよりも、時計全体の厚みを更に薄くすることができる。
【０１０２】
また、上記実施形態、およびその第１変形例では、時計モジュール３が輪列ブロック６、回路基板７、アンテナ８、および電池９からなり、これらをモジュール押え板１０によって直接腕時計ケース１内に組み込んだ場合について述べたが、これに限らず、例えば図２６に示す第２変形例のように、輪列ブロック６、回路基板７、アンテナ８、および電池９をハウジング７０に組み付けることにより、時計モジュール７１を構成し、この時計モジュール７１をモジュール押え板１０によって腕時計ケース１内に組み込むように構成しても良い。このように構成すれば、ハウジング７０の厚みだけ、時計全体の厚みが厚くなるが、時計モジュール７１の組立作業が容易になり、より一層、生産性を高めることができる。
【０１０３】
さらに、上記実施形態、およびその第１、第２変形例では、この発明の多針時計として、腕時計に適用した場合について述べたが、必ずしも腕時計である必要はなく、懐中時計、トラベルウオッチ、目覚まし時計、置き時計、掛け時計などの各種の時計に広く適用することができる。
【図面の簡単な説明】
【０１０４】
【図１】この発明を腕時計に適用した拡大正面図である。
【図２】図１のＡ−Ａ矢視における概略断面図である。
【図３】図１の腕時計から裏蓋を取り外した状態の裏面図である。
【図４】図１の時計モジュールを示した正面図である。
【図５】図４の時計モジュールの裏面図である。
【図６】図４においてソーラーパネルおよび文字板を取り外した状態の時計モジュールの正面図である。
【図７】図６において日車押え板を取り外した状態の時計モジュールの正面図である。
【図８】図５において回路基板を取り外した状態の時計モジュールの裏面図である。
【図９】図８において輪列受を取り外した状態の時計モジュールの裏面図である。
【図１０】図８および図９の第１〜第５パルスモータを示し、（ａ）はその拡大正面図、（ｂ）はその拡大側面図である。
【図１１】図９のＢ−Ｂ矢視における３針用輪列の断面図である。
【図１２】図７のＣ−Ｃ矢視において上下反転した３針用輪列の断面図である。
【図１３】図９のＤ−Ｄ矢視における２針用輪列の断面図である。
【図１４】図１３のＡ部である固定ねじ付近を拡大した断面図である。
【図１５】図９のＥ−Ｅ矢視における秒針専用輪列の断面図である。
【図１６】図９のＦ−Ｆ矢視における日車用輪列の断面図である。
【図１７】図１１の３針用輪列の分針車を組付治具で地板に位置決める状態を示した拡大断面図である。
【図１８】図８の板ばね部材付近を拡大して示した裏面図である。
【図１９】図１８の第１ばね部および第１ばね受け部を示した拡大斜視図である。
【図２０】図１９の平面図である。
【図２１】図１８のＪ−Ｊ矢視における拡大断面図である。
【図２２】図３の時計モジュールをモジュール押え板で腕時計ケース内に位置決めした状態の裏面図である。
【図２３】図２２のモジュール押え板を示し、（ａ）はその正面図、（ｂ）はその側面図、（ｃ）はその裏面図である。
【図２４】図２２における各断面を示し、（ａ）は図２２のＨ−Ｈ矢視における断面図、（ｂ）は図２２のＩ−Ｉ矢視における断面図である。
【図２５】第１変形例の時計モジュールを概略的に示した拡大断面図である。
【図２６】第２変形例の腕時計を示した拡大断面図である。
【符号の説明】
【０１０５】
１  腕時計ケース
３、７１  時計モジュール
５ａ〜５ｄ  第１〜第４押釦スイッチ
６  輪列ブロック
７  回路基板
８  アンテナ
９  電池
１５  ３針用輪列
１５ａ  秒針
１５ｂ  分針
１５ｃ  時針
１６  ２針用輪列
１６ａ  分針
１６ｂ  ２４時針
１７  秒針専用輪列
１７ａ  秒針
１８  日車用輪列
１９  地板
２０  輪列受
２１〜２５  第１〜第５ステップモータ
２６  日車
３１  四番車
３４  二番車
３５  日ノ裏車
３６  筒車
６１  板ばね部材
６１ａ〜６１ｃ  第１〜第３ばね部
６１ｄ、６１ｅ  押えばね部
７５、７６  第１、第２切抜き部
７７〜７９  第１〜第３ばね受け部
７７ａ〜７９ａ  溝部
８２  組付治具
【図１】
2007121078.tif 000003
【図２】
2007121078.tif 000004
【図３】
2007121078.tif 000005
【図４】
2007121078.tif 000006
【図５】
2007121078.tif 000007
【図６】
2007121078.tif 000008
【図７】
2007121078.tif 000009
【図８】
2007121078.tif 000010
【図９】
2007121078.tif 000011
【図１０】
2007121078.tif 000012
【図１１】
2007121078.tif 000013
【図１２】
2007121078.tif 000014
【図１３】
2007121078.tif 000015
【図１４】
2007121078.tif 000016
【図１５】
2007121078.tif 000017
【図１６】
2007121078.tif 000018
【図１７】
2007121078.tif 000019
【図１８】
2007121078.tif 000020
【図１９】
2007121078.tif 000021
【図２０】
2007121078.tif 000022
【図２１】
2007121078.tif 000023
【図２２】
2007121078.tif 000024
【図２３】
2007121078.tif 000025
【図２４】
2007121078.tif 000026
【図２５】
2007121078.tif 000027
【図２６】
2007121078.tif 000028